(57)【要約】【課題】新規で且つ改良された、数個の製品容器を内部に配置できる多数個梱包容器、及びこの種の梱包容器の未組立品を提供する。【解決手段】多数個梱包容器は、底（２）と、２つの側壁（３，５）と、互いに相手の上に配置できる第１カバー部（４）及び第２カバー部（６）を含むカバー（２５）と、第１及び第２カバー部を互いに動かないように固定する固定手段と、を含み、固定手段は、第１カバー部にある固定ブラケット（２０）と、第１カバー部に対向する側壁（５）の上端に位置する固定開口（２４）と、を含み、固定ブラケットは固定開口より幅が広く設計され、固定ブラケットは、カバーをロックするために、多数個梱包容器の外側から内側へ固定開口を貫通して押込まれ、固定ブラケットは、押込まれるとき固定開口に応じた形をとり、多数個梱包容器内では元の形に戻る。【選択図】  図１
0003115641.tif 000002
【実用新案登録請求の範囲】
【請求項１】
数個の製品容器を内部に配置できる多数個梱包容器であって、
底（２）と、
少なくとも２つの側壁（３，５）と、
多数個梱包容器を閉じるために、互いに相手の上に配置できる第１カバー部（４）及び第２カバー部（６）を含むカバー（２５）と、
第１（４）及び第２（６）カバー部を実質的に互いに動かないように固定するための固定手段と、
多数個梱包容器の内面及び外面と、
を含み、
固定手段が、第１カバー部（４）にある少なくとも１つの固定ブラケット（２０）と、第１カバー部(４)に対向する側壁（５）の上端に位置する少なくとも１つの固定開口（２４）とを含む点と、
固定ブラケット（２０）が、固定開口（２４）より幅が広く設計されている点と、
固定ブラケット（２０）が、多数個梱包容器のカバー（２５）をロックするために、多数個梱包容器の外側からその内側へ固定開口（２４）を貫通して押込まれるように、整えられている点と、
固定ブラケット（２０）が、押込まれるとき固定開口（２４）に応じた形をとり、且つ多数個梱包容器内では実質的に元の形に戻るように整えられており、これにより固定ブラケット（２０）が自由に外側へ抜けて逆戻りすることが防止され、従って固定ブラケット（２０）と開口（２４）の間に形状ロックをもたらす点と、
を特徴とする、多数個梱包容器。
【請求項２】
固定ブラケット（２０）が、実質的に長方形の中間部（２１）と、中間部（２１）の両側に実質的に半円形の固定フランジ（２２）と、を含む点と、
中間部（２１）と固定フランジ（２２）の間に折り曲げ箇所（２３）が予め形成され、カバー（２５）をロックするときに固定フランジ（２２）がこの折り曲げ箇所で折り曲げられるように整えられている点と、
を特徴とする、請求項１に記載の多数個梱包容器。
【請求項３】
少なくとも１つのカバー部（４，６）が、少なくとも１つの取っ手開口（１９，２７）を有し、
少なくとも１つのカバー部（４，６）が、少なくとも１つの取っ手要素（１７，２６）を有し、これにより取っ手要素は取っ手開口を通して配置することができ、
取っ手要素と取っ手開口とは、カバー部（４，６）の少なくとも平面方向にカバー部（４，６）の相互移動を妨げるように配置され、且つこの取っ手機構は、カバー（２５）を形状ロックするのに関与するよう整えられている、
ことを特徴とする、請求項１又は２に記載の多数個梱包容器。
【請求項４】
多数個梱包容器が、梱包用板材から作られ、２つ以上の飲料容器用として寸法が決められていることを特徴とする、請求項１乃至３のいずれか１項に記載の多数個梱包容器。
【請求項５】
多数個梱包容器用未組立品であって、未組立品（１）は梱包用板材又は類似物から作られ、
底（２）と、
折り曲げ箇所（７）で底（２）に結び付いている第１側壁（３）と、
折り曲げ箇所（８）で底（２）に結び付いており、第１側壁（３）に対向する第２側壁（５）と、
第１側壁（３）に折り曲げ箇所（１１）で結び付いている第１カバー部（４）と、
第２側壁（５）に折り曲げ箇所（１１）で結び付いている第２カバー部（６）と、
を含み、
第１カバー部（４）の最外自由端が、少なくとも１つの固定ブラケット（２０）を有し、
第２側壁（５）が、少なくとも１つの固定開口（２４）を、第２カバー部（６）の端側領域に含み、
固定ブラケット（２０）が、固定開口（２４）より幅が広く設計されており、従って固定ブラケット（２０）は、固定開口（２４）を通して押込まれるとき固定開口（２４）に応じた形をとり、固定ブラケット（２０）と開口（２４）の間に形状ロックを形成する、
ことを特徴とする、多数個梱包容器未組立品。
【考案の詳細な説明】
【技術分野】
【０００１】
本考案は、内部に数個の製品容器を整列できる多数個梱包容器に関するもので、多数個梱包容器は、底と、少なくとも２つの側壁と、多数個梱包容器を閉じるための、互いに相手の上に配置できる第１カバー部及び第２カバー部を含むカバーと、第１及び第２カバー部を実質的に互いに動かないように固定するための固定手段と、多数個梱包容器の内面及び外面と、を含む。
【０００２】
更に本考案は、梱包用板材（パッキングボード）又はその類似物から作られ、底と、折り曲げ箇所で底に結び付いている第１側壁と、折り曲げ箇所で底に結び付いており第１側壁に対向する第２側壁と、第１側壁に折り曲げ箇所で結び付いている第１カバー部と、第２側壁に折り曲げ箇所で結び付いている第２カバー部と、を含む、多数個梱包容器用の未組立品（ブランク）に関する。
【背景技術】
【０００３】
飲料瓶、缶、及び類似の製品容器は、板材又は類似の材料から作られた多数個梱包容器内に梱包することが出来、多数個梱包容器は、２つ以上の製品容器を取り巻く包装を形成し、且つそれらの容器を収納するものである。一般的には、この型の多数個梱包容器は、製品容器の周りに折畳まれる薄板状未組立品から形成され、梱包容器未組立品のカバー部は互いに糊付けされる。しかし、この型の多数個梱包容器の使用は、糊付け機を有する複雑で高価な梱包機を必要とする。それ故、現在の多数個梱包容器は、小規模生産量にうまく適合されてはいない。
【考案の開示】
【考案が解決しようとする課題】
【０００４】
本考案の目的は、新規で且つ改良された多数個梱包容器、及びこの種の梱包容器の未組立品を提供することである。
【課題を解決するための手段】
【０００５】
本考案の多数個梱包容器は、固定手段が、第１カバー部に少なくとも１つの固定ブラケットと、第１カバー部に対向する側壁の上端に位置する少なくとも１つの固定開口と、を含む点と、固定ブラケットが固定開口より幅が広く設計されている点と、固定ブラケットは、多数個梱包容器のカバーを動かなくする（ロックする）ために、多数個梱包容器の外側からその内側へ固定開口を貫通して押込まれるように整えられている点と、固定ブラケットが、押込まれるとき固定開口に応じた形をとり、且つ多数個梱包容器内では実質的に元の形に戻るように整えられており、これにより固定ブラケットが自由に外側へ抜けて逆戻りするのが防がれ、従って固定ブラケットと開口の間に形状ロックをもたらす点とを特徴とする。
【０００６】
本考案の多数個梱包容器未組立品は、第１カバー部の最外自由端が少なくとも１つの固定ブラケットを有する点と、第２側壁が少なくとも１つの固定開口を第２カバー部の端側領域内に含む点と、固定ブラケットが固定開口より幅が広く設計されており、これにより固定ブラケットが、固定開口を通して押込まれるとき固定開口に応じた形をとり、固定ブラケットと開口の間に形状ロックを形成する点と、を特徴とする。
【０００７】
本考案の本質的な着想は、多数個梱包容器が、底と、少なくとも２つの側壁と、第１カバー部と、第２カバー部と、を含む点である。多数個梱包容器は、第１カバー部を第２カバー部の上に配置し、第１カバー部の１つ以上の固定ブラケットを多数個梱包容器の対向する側壁の上部にある固定開口へ固定することによって閉ざされる。固定ブラケットは、固定開口より幅が広く設計されている。固定ブラケットを多数個梱包容器の外側からその内側へ固定開口を貫通して配置することは、固定ブラケットの形状適合をもたらすように整えられており、これにより形状ロックが固定ブラケットと開口の間に形成される。
【０００８】
本考案は、形状ロックにより、多数個梱包容器が簡単且つ迅速に閉じられるという利点を提供する。従って、この多数個梱包容器の組立は、必ずしも複雑な組立ラインを必要とせず、手動組立、半自動組立、及び全自動組立に向いている。更に、多数個梱包容器を閉じる手段が梱包容器の上部に配置されているので、梱包段階で多数個梱包容器の内側へ製品容器を置くことが簡単である。本考案の形状ロック機構によって、糊（接着剤）を用いないで非常に耐久性のあるロックが提供される。加えて、多数個梱包容器を閉じる手段が梱包容器の上部に配置されているので、多数個梱包容器の底は製品容器によって生ずる応力に十分耐えられる一様な構造とすることができる。
【０００９】
更に、固定開口は、第２側壁の上端に、好ましくは側壁とカバー部の間の隅の部分に在るので、固定ブラケットを固定開口に押込むのは簡単である。これは、側壁の上端が堅固であるからである。更に、固定開口の位置は負荷を受けるのに適しているが、それは固定機構が梱包容器の取り扱い時に直接の引張り力を受けず、引張り力が側壁とカバー部の間の隅部を経由して伝達されるからである。固定開口と固定ブラケットの端部間の摩擦は従って高いものでありうるが、一方、引張り応力の方向は、固定ブラケットを固定開口から引き出そうとはしないようなものであろう。
【００１０】
本考案の一実施形態の本質的な着想は、固定ブラケットが、固定開口の幅にほぼ一致するように設計された幅を持つ中間部を有する点である。更に、固定ブラケットは、中間部の少なくとも片側に少なくとも１つの固定フランジ（耳部）を有する。固定フランジと中間部の共通の幅は、固定開口の幅より大きく、従って固定フランジは、固定開口とブラケットの間に形状ロックを形成するように整えられている。
【００１１】
本考案の一実施形態の本質的な着想は、ブラケットが、実質的に長方形の中間部と、中間部の両側に実質的に半円形の固定フランジと、を含む点である。更に、中間部と固定フランジの間に、固定ブラケットを固定開口に押込む時に固定フランジが折り曲げられるように整えられた、予め形成されている折り曲げ箇所が配置される。固定フランジは、折り曲げ箇所で比較的容易に折れ曲がり、このことは固定ブラケットが固定開口へ簡単且つ迅速に押し込まれることを意味する。また、半円形の形状は閉じるのを容易にする。
【００１２】
本考案の一実施形態の本質的な着想は、固定フランジが、多数個梱包容器内に製品容器が押し込まれた時、製品容器に突き当たるような寸法に成っている点である。摩擦力が、固定ブラケットと製品容器の間にもたらされ、それが更にロックを改善する。
【００１３】
本考案の一実施形態の本質的な着想は、少なくとも１つのカバー部が少なくとも１つの取っ手（ハンドル）開口を有し、少なくとも１つの他のカバー部が、少なくとも１つの取っ手要素を有し、取っ手要素が取っ手開口を貫通して配置できる点である。取っ手要素は、少なくともカバー部の平面方向にカバー部相互間の動きを妨げることが出来、従って取っ手機構は多数個梱包容器カバーの形状ロックの一部である。１つの選択肢は、第２カバー部の開口を通して多数個梱包容器の内部へ少なくとも部分的に押し込むことのできる取っ手フラップ（舌部）を、第１カバー部に形成することであり、従って取っ手フラップは、梱包容器を取り扱うときにカバーが開くのを防ぐようにする。別の選択肢は、第１カバー部に取っ手開口を形成することであり、多数個梱包容器を取り扱うとき取っ手開口を通して容器の外へ引き出せる細長い取っ手要素を、第２カバー部へ形成又は取り付けることである。取っ手要素は輪（ループ）を形成し、この輪を用いて多数個梱包容器が運搬される。同時に、取っ手要素は、重ねあわされたカバー部が互いに動くのを防ぎ、カバーが開くのを防止しようとする。ある場合において、取っ手機構は、取り扱い時に梱包容器に向けられる負荷の主な部分を支えるように配置されていることもある。
【００１４】
本考案の一実施形態の本質的な着想は、多数個梱包容器が、３個の飲料容器を２列で、即ち飲料瓶や缶など全部で６個の飲料容器を内部に配置できるように寸法が決められている点である。多数個梱包容器は、２つのブラケットと、対応する２つの開口と、を含み、このことは、第１カバーと第２カバーを互いに動かないように固定し、且つ多数個梱包容器を飲料容器の周りで閉じるための２つの形状ロック要素を多数個梱包容器が有することを意味する。
【００１５】
本考案の一実施形態の本質的な着想は、多数個梱包容器が、６個の飲料容器を６列で、即ち飲料瓶や缶など全部で１２個の飲料容器を内部に配置できるように寸法が決められている点である。多数個梱包容器は、３乃至４個のブラケットと、対応する数の開口と、を含み、このことは、第１カバーと第２カバーを互いに動かないように固定し、且つ多数個梱包容器を飲料容器の周りに閉ざすための３乃至４個の形状ロック要素を多数個梱包容器が有することを意味する。
【考案を実施するための最良の形態】
【００１６】
添付した図面を用いて考案をより詳細に説明する。
【００１７】
図面において、明快さのために考案品を単純化して示してある。図面において同類の部分は同じ符号を付けてある。
【００１８】
図１に示した未組立品（ブランク）１は、梱包材料に適した板材から作られ、例えば、又は、ある場合には、段ボール板からも作られる。未組立品１は、一枚の薄板状の断片から作られる。必要な開口、打抜き穴、及びその他の穴、種々の折り目、及びその他の折り曲げ箇所は、例えば、打抜き（パンチング）などで未組立品１に形成される。
【００１９】
未組立品１は、底２と、第１側壁３と、第１カバー部４と、第２側壁５と、第２カバー部６と、を有し得る。側壁３及び５は、折り曲げ箇所７と８を介して底２の対向する両辺に接続され得る。更に、第１カバー部４は、折り曲げ箇所９を介して第１側壁３に接続され、対応して、第２カバー部６は、折り曲げ箇所１０を介して第２側壁５に接続され得る。もしも梱包容器が瓶梱包容器ならば、底２はカバー部４及び６で形成されるカバーよりも幅が広く、側壁３及び５は、梱包容器の頂部が梱包容器内の瓶の頂部を支持するように側壁３、５の頂部３ａ、５ａを内側に折り返すことを可能にする折り曲げ箇所１１を有しても良い。更に、側壁３、５の頂部は梱包されるビンの頂部を支える開口１２を有しても良い。加えて、多数個梱包容器の底２は、多数個梱包容器内に製品容器を保つための必要な要素を持つであろう。これらの要素は、折り曲げ箇所１４を介して底２の端部に接続され、且つ折り曲げ箇所１５を介して側壁の底部３ｂ、５ｂに接続される、端部細長片１３を含む。組立時に、端部細長片１３は、図２に示すように、底２の端で端部を形成して梱包容器の内容物を支持し、更に多数個梱包容器の底部の構造を強化し得る。未組立品１の底２は、必要な開口１６又は類似の要素を有するであろう。第１カバー部４は、折り曲げ箇所１８を介してカバー部４へ接続される、１つ以上の取っ手（ハンドル）フラップ（舌部）１７を有してもよい。更に、第２カバー部６は、多数梱包容器が組み立てられたときに取っ手フラップ１７に対応する位置に開口１９を有してもよく、その場合、多数個梱包容器を掴むときに、取っ手フラップ１７は、多数個梱包容器の外側からその内側へ開口１９を通して押込まれ得る。取っ手フラップ１７と開口１９は、このようにして一種の取っ手構造を多数個梱包容器のカバー上に形成し得る。
【００２０】
図１における未組立品１の第１カバー部４の最外部にある長端部は、中間部２１と中間部２１の両側に付いた固定フランジ２２とを備えた、１つ以上の固定ブラケット２０を有し得る。しかし、ある場合には、固定フランジ２２は中間部２１の一方の側だけにあってもよい。中間部２１と固定フランジ２２との間には、ミシン目又は折り目などの予め形成された折り曲げ箇所２３があってもよい。固定フランジ２２は、実質的に半円形であるが、長方形や曲線的な形などの他の形が使用されてもよい。第２側壁５の頂部に１つ以上の固定開口２４があってもよく、その位置は多数個梱包容器の長手方向にあって、固定ブラケット２０の位置に実質的に対応する。固定開口２４と固定ブラケット２０の数は、一般的には同じである。固定ブラケット２０の中間部２１は、実質的に変形しないで固定開口２４へ押込むことが出来るように寸法が決められてよい。代りに、固定ブラケット２０の固定フランジ２２は、固定ブラケット２０が固定開口２４を通して押し込まれるときに、折り曲げ箇所２３で折り返されるように整えられている。固定ブラケット２０及び固定開口２４は、多数個梱包容器がその内部に配置された製品容器の周りをそれによって閉ざすことが出来るような、形状ロック要素を形成する。
【００２１】
図２において、多数個梱包容器は、端面からほぼ最終形状に折畳まれた状態で示してある。多数個梱包容器のカバー２５が閉ざされる前に、製品容器（図示せず）は多数個梱包容器内部に配置される。多数個梱包容器カバー２５のロックは、第１カバー部４内の固定ブラケット２０をＡ方向に、固定開口２４を通して多数個梱包容器内へ押込むことにより行なわれる。固定ブラケット２０を押すのは、手で、又は簡単な押込み要素を用いて、行うことが出来る。従って、閉ざすのに、糊付け装置や複雑な組立ラインを必要としない。固定開口２４が側壁５の上端部、好ましくは側壁とカバーの間の隅に配置された場合、固定開口の端部は堅固であり、固定ブラケット２０を所定の位置に押し込む際に、固定開口が内側へ曲げられることはない。
【００２２】
図３に示した状況において、固定ブラケット２０は、固定開口２４に押込まれ、それによって、固定フランジ２２は固定ブラケット２０が多数個梱包容器の外部へ戻るのを防ぐ。多数個梱包容器の取り扱い時にカバー２５に対して取っ手機構又は類似物によって上向きの力の作用Ｆが向けられたとしても、固定ブラケット２０と固定開口２４の間の形状ロックは、カバー部４、６を互いに実質的に動かないように保ち、即ちカバー２５は閉じたままの状態に残される。
【００２３】
図３は、更に、取っ手構造物を示す。取っ手フラップ１７は、第２カバー部６の開口１９を通して多数個梱包容器内に押込まれ、それによって、取っ手フラップ１７は掴み要素として働き、多数個梱包容器の取り扱いを容易にする。同時に、取っ手フラップ１７と開口１９は、カバー部４及び６の相互の動き妨げようとする。従って、取っ手フラップは、カバー部４、６間の形状ロックの一部として働き得る。
【００２４】
図４は、側面からの組み立てた多数個梱包容器を示す。図で見られるように、多数個梱包容器の長手方向、即ち方向Ｃ、における固定ブラケット２０の幅は、固定フランジ２２のために多数個梱包容器の内部では固定開口２４の幅より大きく、それによって、固定ブラケット２０は自由に固定開口２４から出ることはできない。図は、固定フランジ２２の幾つかの代替形状を示す。左端の固定ブラケット２０は実質的に半円形の固定フランジ２２を含み、右端の固定フランジ２２は実質的に長方形である。三角形形状も同様に可能である。
【００２５】
図５は、展開された第２の多数個梱包容器未組立品１を示す。固定ブラケット２０の数は、多数個梱包容器の寸法に応じて設計することが出来る。図５の未組立品１は、十二個の飲料瓶用のケースとして使用するのに適している。この様な多数個梱包容器には、３乃至４個の固定ブラケット２０と対応する数の固定開口２４とがあってもよい。
【００２６】
多数個梱包容器のカバー２５は、種々の取っ手構造を備え得る。図１の未組立品においては、取っ手は、取っ手フラップ１７と開口１９から形成され、そこへ、多数個梱包容器を掴む時に指を押込むことが出来る。図５の未組立品において、取っ手は、第２カバー部６に形成された切開部２６から形成され、それに対し開口２７が第１カバー部４に形成されている。勿論、多数個梱包容器のカバーに、未組立品と同じ材料又は異なる材料で作られ、多数個梱包容器の残りの構造物と同じ段階又は異なる段階で製造された、別個の取っ手構造物を取り付けることも可能である。
【００２７】
本考案の多数個梱包容器は、飲料瓶や缶など種々の飲料容器用のケースとして使用するのに適している。例えば、保存食品の缶詰その他の食品容器用、更にペンキ缶その他類似の製品容器用のケースとして使用するのにも適している。２つ以上の製品容器が多数個梱包容器内に配置されるであろう。更に、多数個梱包容器の形、寸法、及び構造は、上述の実施例と異なることがある。本質的なことは、カバー部を互いの上部に配置し、カバー部を互いに動かないように形状ロックを用いて固定することにより、多数個梱包容器が閉じられるという点である。
【００２８】
ある場合には、固定ブラケットがフラップ又は類似物によって第１カバー部に接続されるような、多数個梱包容器を形成することも可能である。更にある場合には、固定開口は図に示したのと異なる別の場所に在ってもよい。
【００２９】
図面及び関連する説明は、本考案の着想を例証することだけを意図している。本考案は、請求の範囲内において、詳細な点では異なってもよい。
【図面の簡単な説明】
【００３０】
【図１】図１は、展開された本考案の多数個梱包容器未組立品の概略図である。
【図２】図２は、カバーが閉じられる前における、本考案の多数個梱包容器の概略端面図である。
【図３】図３は、カバーがロックされた後における、本考案の多数個梱包容器の概略端面図である。
【図４】図４は、図３の閉じられた多数個梱包容器の概略側面図である。
【図５】図５は、展開された本考案の第２の多数個梱包容器未組立品の概略図である。
【図１】
0003115641.tif 000003
【図２】
0003115641.tif 000004
【図３】
0003115641.tif 000005
【図４】
0003115641.tif 000006
【図５】
0003115641.tif 000007